(57)【特許請求の範囲】
【請求項１】
建物内に、被空調空間と、空調装置収納空間と、両者を連通するダクト収納空間とが設けられており、
前記空調装置収納空間には、空調空気として冷気・暖気を吹き出す吹出部と吸込部とを有する空調装置が設置されており、
前記被空調空間に面して、前記空調装置の前記吹出部と前記ダクト収納空間に配管されたダクトで接続される給気口と、前記ダクト収納空間と連通し、前記空調装置の前記吸込部との間がダクトで接続されていない排気口とが設けられており、
前記ダクト収納空間と、該ダクト収納空間と連通する前記空調装置収納空間とには、前記ダクト内を通る空調空気の給気の流れとは逆の方向に前記ダクトの表面に沿って空調空気の排気が流れるダクト外空間が、前記ダクトの全長にわたって設けられているとともに、
前記空調装置の前記吸込部は、前記空調装置収納空間を形成する側壁と間隔をあけて該側壁に向いていることを特徴とする空調システム。
【請求項２】
前記空調装置の筐体内には、前記吸込部から吸い込んだ空気を下向きに案内するガイド部材と、該ガイド部材により下向きに案内された空気をその上面から通過させるフィルタとが設けられていることを特徴とする請求項１に記載の空調システム。
【請求項３】
前記空調装置の前記筐体の側面に内部点検口が設けられており、該内部点検口から前記フィルタが着脱可能とされていることを特徴とする請求項２に記載の空調システム。
【請求項４】
前記フィルタは、前記内部点検口を開閉する内部点検口用蓋と一体に形成された枠体に設けられていることを特徴とする請求項３に記載の空調システム。
【請求項５】
前記枠体は、前記フィルタが設けられた領域と、該フィルタが設けられていない領域とを有することを特徴とする請求項４に記載の空調システム。
【請求項６】
前記建物の天井部の少なくとも一部が二重天井とされ、該二重天井の天井間で挟まれる内部空間が、前記ダクト収納空間とされていることを特徴とする請求項１乃至５のいずれか１項に記載の空調システム。
【請求項７】
前記被空調空間は、共用空間と、該共用空間に隣接する複数の居室空間又は非居室空間とに区画されており、
前記共用空間の天井部が前記二重天井とされて前記ダクト収納空間とされているとともに、その側部で前記居室空間又は前記非居室空間に面する壁に前記給気口及び前記排気口が設けられていることを特徴とする請求項６に記載の空調システム。
【請求項８】
前記二重天井とされた前記共用空間の前記天井部に前記内部空間と連通する排気口が設けられていることを特徴とする請求項７に記載の空調システム。
【請求項９】
前記空調装置収納空間の一側の壁の一部が前記空調装置の前記内部点検口が設けられた部分の側面で形成されていることを特徴とする請求項３又は４に記載の空調システム。
【請求項１０】
前記一側の壁と間隔をあけて扉を有する目隠用の壁が設けられ、前記両壁間に収納空間が設けられていることを特徴とする請求項９に記載の空調システム。
【請求項１１】
請求項１乃至１０のいずれか１項に記載の空調システムを備えていることを特徴とする建物。
【発明の詳細な説明】
【技術分野】
【０００１】
本発明は、建物の空調システム及びこの空調システムを備えた建物に関するものである。
【背景技術】
【０００２】
従来から、建物の天井裏空間や床下空間に吹出型の空調装置を設置し、ダクトを介して各居室空間などに空調空気を吹き出して空調を行う空調システムが知られている（例えば、特許文献１等を参照）。
【先行技術文献】
【特許文献】
【０００３】
【特許文献１】特開平１０−７８２４４号公報
【発明の概要】
【発明が解決しようとする課題】
【０００４】
しかしながら、特許文献１のような従来の空調システムでは、空調空気を循環させるのに、往路となる給気用のダクトだけでなく、復路となる排気用のダクトも必要なので、これらダクトの配管が複雑となり、配管したいのにできないケースもある。
【０００５】
そこで、本発明は、ダクトの配管が簡易に行える空調システム、及びこの空調システムを備えた建物を提供することを目的としている。
【課題を解決するための手段】
【０００６】
前記目的を達成するために、本発明の空調システムは、建物内に、被空調空間と、空調装置収納空間と、両者を連通するダクト収納空間とが設けられており、前記空調装置収納空間には、吹出部と吸込部とを有する空調装置が設置されており、前記被空調空間に面して、前記空調装置の前記吹出部と前記ダクト収納空間に配管されたダクトで接続される給気口と、前記ダクト収納空間と連通する排気口とが設けられており、前記ダクト収納空間には、前記ダクト内を通る空調空気の給気の流れとは逆の方向に空調空気の排気が流れるダクト外空間が設けられていることを特徴とする。
【０００７】
ここで、前記空調装置の前記吸込部は、前記空調装置収納空間を形成する側壁と間隔をあけて該側壁に向いているとよい。
【０００８】
また、前記空調装置の筐体内には、前記吸込部から吸い込んだ空気を下向きに案内するガイド部材と、該ガイド部材により下向きに案内された空気をその上面から通過させるフィルタとが設けられているとよい。
【０００９】
また、前記空調装置の前記筐体の側面に内部点検口が設けられており、該内部点検口から前記フィルタが着脱可能とされているとよい。
【００１０】
さらに、前記フィルタは、前記内部点検口を開閉する内部点検口用蓋と一体に形成された枠体に設けられているとよい。
【００１１】
また、前記枠体は、前記フィルタが設けられた領域と、該フィルタが設けられていない領域とを有するとよい。
【００１２】
ここで、前記建物の天井部の少なくとも一部が二重天井とされ、該二重天井の天井間で挟まれる内部空間が、前記ダクト収納空間とされているとよい。
【００１３】
また、前記被空調空間は、共用空間と、該共用空間に隣接する複数の居室空間又は非居室空間とに区画されており、前記共用空間の天井部が前記二重天井とされて前記ダクト収納空間とされているとともに、その側部で前記居室空間又は前記非居室空間に面する壁に前記給気口及び前記排気口が設けられているとよい。
【００１４】
さらに、前記二重天井とされた前記共用空間の前記天井部に前記内部空間と連通する排気口が設けられているとよい。
【００１５】
また、前記空調装置収納空間の一側の壁の一部が前記空調装置の前記内部点検口が設けられた部分の側面で形成されているとよい。
【００１６】
さらに、前記一側の壁と間隔をあけて扉を有する目隠用の壁が設けられ、前記両壁間に収納空間が設けられているとよい。
【００１７】
本発明の建物は、上記した空調システムを備えていることを特徴とする。
【発明の効果】
【００１８】
このような本発明の空調システムは、建物内に、被空調空間と、空調装置収納空間と、両者を連通するダクト収納空間とが設けられており、空調装置収納空間には、吹出部と吸込部とを有する空調装置が設置されており、被空調空間に面して、空調装置の吹出部とダクト収納空間に配管されたダクトで接続される給気口と、ダクト収納空間と連通する排気口とが設けられており、ダクト収納空間には、ダクト内を通る空調空気の給気の流れとは逆の方向に空調空気の排気が流れるダクト外空間が設けられた構成とされている。
【００１９】
こうした構成なので、ダクト収納空間に配管するのは給気用のダクトだけで済むため、ダクトの配管を簡易に行うことができる。
【００２０】
そのうえ、ダクト収納空間のダクト外空間は排気用のダクトの役目を果たすだけでなく、ダクト内を通る給気される空調空気と温度差が小さい排気される空調空気が通るため、ダクトから熱が逃げる熱損失を小さくでき、効率の良い空調を行うことができる。
【００２１】
特に、冷房を行う際は、ダクトの結露を防止することもできる。
【００２２】
ここで、空調装置の吸込部は、空調装置収納空間を形成する側壁と間隔をあけて該側壁に向いている場合は、空調装置の筐体が防音壁となり、吸込部から漏れる音（具体的には、筐体内にあるファンの作動音や筐体内の空気の流動音などの音）が広がるのを抑制することができる。
【００２３】
また、空調装置の筐体内には、吸込部から吸い込んだ空気を下向きに案内するガイド部材と、ガイド部材により下向きに案内された空気をその上面から通過させるフィルタとが設けられている場合は、フィルタの上面で吸込部から吸い込んだ空気内のダストを捕捉することができる。
【００２４】
また、空調装置の筐体の側面に内部点検口が設けられており、内部点検口からフィルタが着脱可能とされている場合は、フィルタがダストで目詰まりしてきたときの掃除や交換時期がきたときの交換作業などのメンテナンスを容易に行うことができる。
【００２５】
さらに、フィルタは、内部点検口を開閉する内部点検口用蓋と一体に形成された枠体に設けられている場合は、メンテナンスを行うために、内部点検口用蓋を開けると、フィルタを枠体とともに引き出すことができ、フィルタの掃除や交換が終わったときは、内部点検口に枠体を差し込み、内部点検口用蓋を閉じるだけでメンテナンスが済む。
【００２６】
また、枠体は、フィルタが設けられた領域と、フィルタが設けられていない領域とを有する場合は、ガイド部材により下向きに案内された空気からフィルタの上面でダストを捕捉したあとは、フィルタが設けられていない領域を通って空調装置の筐体の内部に向かい空気が流れるので、無駄な圧力損失をなくすことができる。
【００２７】
ここで、建物の天井部の少なくとも一部が二重天井とされ、二重天井の天井間で挟まれる内部空間が、ダクト収納空間とされている場合は、ダクトを配管してから下側の天井を設置すればよいので、ダクトの配管とダクト収納空間の形成とをより容易に行うことができる。
【００２８】
また、被空調空間は、共用空間と、共用空間に隣接する複数の居室空間又は非居室空間とに区画されており、共用空間の天井部が二重天井とされてダクト収納空間とされているとともに、その側部で居室空間又は非居室空間に面する壁に給気口及び排気口が設けられている場合は、ダクトの長さを短くし、さらにより簡易な配管で実施することができる。
【００２９】
さらに、二重天井とされた共用空間の天井部に内部空間と連通する排気口が設けられている場合は、居室空間又は非居室空間のドアの隙間などから吹き出された空調空気により、ホールや廊下などの共用空間もそれなりに快適な状態に空調することができる。
【００３０】
また、空調装置収納空間の一側の壁の一部が空調装置の内部点検口が設けられた部分の側面で形成されている場合は、空調装置のメンテナンスなどを容易に行うことができる。
【００３１】
さらに、一側の壁と間隔をあけて扉を有する目隠用の壁が設けられ、両壁間に収納空間が設けられている場合は、目隠用の壁により、空調装置の内部点検口が設けられた部分の側面が露出されないので、意匠的外観が良いうえに、収納空間に収納物を収納することができ、さらには、目隠用の壁の存在により、空調装置の稼動時の音（具体的には、筐体内にあるファンの作動音や筐体内の空気の流動音などの音）が外部に漏れるのを更に防止することができる。
【００３２】
このような本発明の建物は、上記した本発明の空調システムを備えた構成とされている。
【００３３】
こうした構成なので、上記した本発明の空調システムの効果を奏する建物とすることができる。
【図面の簡単な説明】
【００３４】
【図１】実施例１の空調システムを備えた建物の概略構成を説明する説明図である。
【図２】実施例１の空調システムの概略構成を説明する説明図である。
【図３】実施例１の空調装置の詳細を示す縦断面図である。
【図４】実施例１の枠体の詳細を示す斜視図である。
【図５】（Ａ）、（Ｂ）は、枠体の抜き差しを説明するための説明図である。
【図６】実施例２の空調装置の詳細を示す縦断面図である。
【発明を実施するための形態】
【００３５】
以下、本発明を実施するための形態を、図面に示す実施例１，２に基づいて説明する。
【実施例１】
【００３６】
先ず、実施例１の構成について説明する。
【００３７】
図１は、実施例１の空調システムを備えた建物１の概略構成を平面視で示している。
【００３８】
まず、この建物１は、屋内空間２の略中心部にホールである共用空間２１が設けられている。
【００３９】
また、共用空間２１に隣接して空調装置収納空間としての空調装置収納室２２が設けられている。
【００４０】
また、共用空間２１に隣接して居室空間２３，２４，２５が設けられている。
【００４１】
さらに、共用空間２１の天井部の一部は、図２に示したように、二重天井２１ａとされている。
【００４２】
また、この二重天井２１ａの天井間に挟まれる内部空間が空調装置収納室２２と連通するダクト収納空間４とされている。
【００４３】
さらに、このダクト収納空間４と居室空間２３，２４，２５との間の壁１２には、グリル付きの給気口５１と排気口５２とがそれぞれ設けられている。
【００４４】
また、二重天井２１ａとされた共用空間２１の天井部には、ダクト収納空間４と連通する排気口６が設けられている。
【００４５】
そして、空調装置収納室２２に、吹出部３１と吸込部３２とを有する吹出型の空調装置３が設置されている。
【００４６】
そのうえで、この空調装置３の吹出部３１と、居室空間２３，２４，２５に設けられた給気口５１とがダクト７を介してそれぞれ接続されている。
【００４７】
なお、居室空間２３，２４に比べて広い居室空間２５には、２つの給気口５１，５１と２つの排気口５２，５２とが設けられており、ダクト７は、分岐チャンバ７ａで２経路に分岐されてから給気口５１，５１に接続されている。
【００４８】
また、空調装置収納室２２を形成する共用空間２１側の壁８の一部は、図２に示したように、空調装置３の内部点検口３ａが設けられた部分の正面側の側面で形成されている。
【００４９】
さらに、壁８と間隔をあけて扉９ａを有する目隠用の壁９が設けられており、両壁８，９間に収納空間１０が形成されている。
【００５０】
こうした構成のもとに空調装置３を稼動して、吹出部３１から換気用の空気、冷房用の冷気、又は暖房用の暖気などの空調空気を吹き出すと、ダクト７を通った空調空気は、給気口５１から居室空間２３，２４，２５に吹き出され、空調を行った後、排気口５２からダクト収納空間４のダクト外空間４ａを通って空調装置収納室２２に有る吸込部３２に吸い込まれる。
【００５１】
すなわち、空調空気の給気と空調空気の排気とは、図１及び図２に矢印で示したように、ダクト収納空間４内で逆向きに流れることとなる。
【００５２】
さらに、居室空間２３，２４，２５を空調した後の空調空気の一部は、図２に示したように、ドア１１の下側などの隙間から共用空間２１内に吹き出され、共用空間２１を空調した後、排気口６に吸い込まれ、他の空調空気の排気と合流して同様な流れで吸込部３２に吸い込まれる。
【００５３】
次に、空調装置３の詳細について説明する。
【００５４】
この空調装置３は、ヒートポンプ式のエアーコンディショナの室内機であり、図示省略の室外機と冷媒循環回路で接続されている。
【００５５】
具体的には、図３に示したように、この空調装置３の筐体３０内には、ファン３３と熱交換器３４とが設けられており、この熱交換器３４に冷媒循環回路が接続されている。
【００５６】
そして、この空調装置３の筐体３０は、上面に吹出部３１が設けられ、背面側の側面に吸込部３２が設けられている。
【００５７】
ここで、空調装置収納室２２を形成する側壁２２ａと吸込部３２が設けられた空調装置３の筐体３０の背面側の側面との間には１５ｃｍ程度の間隔が設けられており、吸込部３２は側壁２２ａに向いている。
【００５８】
なお、実証試験を行ったところ、この間隔は、５ｃｍ〜５０ｃｍの範囲に設定すると、被験者の殆どが不快感を覚えない防音効果が得られた。
【００５９】
また、上記したように、空調装置３の筐体３０の正面側の側面には、内部点検口３ａが設けられている。
【００６０】
さらに、この内部点検口３ａから内部点検口用蓋３０ａと一体化された引出状の枠体３５が差し込まれている。
【００６１】
この枠体３５は、図４に示したように、正面側の矩形状の内部点検口用蓋３０ａと、断面略Ｌ字状の左右の側面板３５ａ，３５ａと、背面側の矩形状の背面板３５ｂとを組み付けてその外枠が形成されている。
【００６２】
そして、左右の側面板３５ａ，３５ａの略中央部間に、断面略コ字状の仕切材３５ｃが、その凹部が内部点検口用蓋３０ａ側を向くように設けられている。
【００６３】
さらに、仕切材３５ｃによって仕切られた背面板３５ｂ側の空所に上側からフィルタ３６が嵌め込まれ、このフィルタ３６の両端は、左右の側面板３５ａ，３５ａの向かい合う下部のリップ部で支持されている。
【００６４】
これにより、仕切材３５ｃによって仕切られた背面板３５ｂ側はフィルタ３６が設けられた領域となり、内部点検口用蓋３０ａ側はフィルタ３６が設けられていない領域となる。
【００６５】
また、空調装置３の筐体３０内には、左右の側面板３５ａ，３５ａの下面と上面に位置する箇所に、下側ガイド金具３７ａと、上側ガイド金具３７ｂとがそれぞれ設けられており、図５（Ａ）及び図５（Ｂ）に示したように、枠体３５を、筐体３０から引き出したり、筐体３０へ差し入れたりすることが容易となっている。
【００６６】
さらに、図３に示したように、空調装置３の筐体３０内には、筐体３０の背面側から中央に向かって下り、先端に垂下する折曲部３８ａを有するガイド部材３８が設けられており、吸込部３２から吸い込まれた空気は、矢印で表したように、まずは下向きに案内されて流れ、フィルタ３６を通った後、上向きに流れて、熱交換器３４に向かう。
【００６７】
なお、ガイド部材３８の折曲部３８ａの外側面には、仕切材３５ｃとの間の気密性を保つためのシール材３９が設けられている。
【００６８】
また、内部点検口用蓋３０ａの内側縁部にも、気密性を保つためのシール材４０が設けられている。
【００６９】
次に、実施例１の作用効果について説明する。
【００７０】
このような実施例１の空調システムは、建物１内に、被空調空間としての共用空間２１及び居室空間２３，２４，２５と、空調装置収納空間としての空調装置収納室２２と、これらを連通するダクト収納空間４とが設けられており、空調装置収納室２２には、吹出部３１と吸込部３２とを有する吹出型の空調装置３が設置されており、居室空間２３，２４，２５の壁１２に、空調装置３の吹出部３１とダクト収納空間４に配管されたダクト７で接続される給気口５１と、ダクト収納空間４と連通する排気口５２とが設けられており、ダクト収納空間４には、ダクト７内を通る空調空気の給気の流れとは逆の方向に空調空気の排気が流れるダクト外空間４ａが設けられた構成とされている。
【００７１】
こうした構成なので、ダクト収納空間４に配管するのは給気用のダクト７だけで済むため、ダクトの配管を簡易に行うことができる。
【００７２】
そのうえ、ダクト収納空間４のダクト外空間４ａは排気用のダクトの役目を果たすだけでなく、ダクト７内を通る給気される空調空気と温度差が小さい排気される空調空気が通るため、ダクト７から熱が逃げる熱損失を小さくでき、効率の良い空調を行うことができる。
【００７３】
特に、冷房を行う際には、ダクト７の結露を防止することもできる。
【００７４】
ここで、空調装置３の吸込部３２は、空調装置収納室２２を形成する側壁２２ａと間隔をあけて側壁２２ａに向いている。
【００７５】
このため、空調装置３の筐体３０が防音壁となり、吸込部３２から漏れる音（具体的には、筐体３０内にあるファン３３の作動音や筐体３０内の空気の流動音などの音）が広がるのを抑制することができる。
【００７６】
また、空調装置３の筐体３０内には、吸込部３２から吸い込んだ空気を下向きに案内するガイド部材３８と、ガイド部材３８により下向きに案内された空気をその上面から通過させるフィルタ３６とが設けられている。
【００７７】
このため、フィルタ３６の上面で吸込部３２から吸い込んだ空気内のダストを捕捉することができる。
【００７８】
また、空調装置３の筐体３０の正面側の側面に内部点検口３ａが設けられており、内部点検口３ａからフィルタ３６が着脱可能とされている。
【００７９】
このため、フィルタ３６がダストで目詰まりしてきたときの掃除や交換時期がきたときの交換作業などのメンテナンスを容易に行うことができる。
【００８０】
さらに具体的には、フィルタ３６は、内部点検口３ａを開閉する内部点検口用蓋３０ａと一体に形成された枠体３５に設けられている。
【００８１】
このため、メンテナンスを行うために、内部点検口用蓋３０ａを開けると、フィルタ３６を枠体３５とともに引き出すことができ、フィルタ３６の掃除や交換が終わったときは、内部点検口３ａに枠体３５を差し込み、内部点検口用蓋３０ａを閉じるだけでメンテナンスが済む。
【００８２】
また、枠体３５は、フィルタ３６が設けられた領域と、フィルタ３６が設けられていない領域とを有する。
【００８３】
このため、ガイド部材３８により下向きに案内された空気からフィルタ３６の上面でダストを捕捉したあとは、フィルタ３６が設けられていない領域を通って空調装置３の筐体３０の内部に向かい空気が流れるので、無駄な圧力損失をなくすことができる。
【００８４】
ここで、共用空間２１の天井部の一部が二重天井２１ａとされ、この二重天井２１ａの天井間で挟まれる内部空間が、ダクト収納空間４とされている。
【００８５】
このため、ダクト７を配管してから下側の天井を設置すればよいので、ダクト７の配管とダクト収納空間４の形成とをより容易に行うことができる。
【００８６】
また、ダクト収納空間４の側部にある、共用空間２１に隣接する居室空間２３，２４，２５の壁１２に、給気口５１及び排気口５２がそれぞれ設けられている。
【００８７】
このため、ダクト７の長さを短くし、さらにより簡易な配管で実施することができる。
【００８８】
さらに、二重天井２１ａとされた共用空間２１の天井部に内部のダクト収納空間４と連通する排気口６が設けられている。
【００８９】
このため、居室空間２３，２４，２５のドア１１の下側などの隙間から吹き出された空調空気により、共用空間２１もそれなりに快適な状態に空調することができる。
【００９０】
また、空調装置収納室２２の共用空間２１に面する側の壁８の一部は、吹出型の空調装置３の内部点検口３ａが設けられた部分の側面で形成されている。
【００９１】
このため、空調装置３のメンテナンスなどを容易に行うことができる。
【００９２】
さらに、この壁８と間隔をあけて扉９ａを有する目隠用の壁９が設けられ、両壁８，９間に収納空間１０が設けられている。
【００９３】
このため、目隠用の壁９により、空調装置３の内部点検口３ａが設けられた部分の側面が共用空間２１側に露出されないので、意匠的外観が良いうえに、収納空間１０に収納物を収納することができ、さらには、目隠用の壁９の存在により、空調装置３の稼動時の音（具体的には、筐体３０内にあるファン３３の作動音や筐体３０内の空気の流動音などの音）が外部に漏れるのを更に防止することができる。
【００９４】
このような実施例１の建物１は、上記した実施例１の空調システムを備えた構成とされている。
【００９５】
こうした構成なので、上記した実施例１の空調システムの作用効果を奏する建物とすることができる。
【実施例２】
【００９６】
次に、実施例２について説明する。
【００９７】
なお、実施例１で説明した内容と同一乃至均等な部分の説明については同一符号を付して説明する。
【００９８】
図６は、実施例２の空調装置３の詳細を示している。
【００９９】
この実施例２の空調装置３では、ガイド部材３８の先端の折曲部３８ａが筐体３０の前側の上方斜め４５°に向くように設定されており、これに合わせて、仕切材３５ｃの上側のリップ部も筐体３０の前側の上方斜め４５°に向くように設定されていることが実施例１の空調装置３と主に異なる。
【０１００】
このため、筐体３０内のフィルタ３６が設けられていない領域の上方が広くなり、その分、空気の流れがスムーズになる。
【０１０１】
なお、他の構成及び作用効果については、実施例１と略同様であるので説明を省略する。
【０１０２】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【０１０３】
例えば、上記した実施例１，２では、空調装置収納空間としての空調装置収納室２２を共用空間２１や居室空間２３，２４，２５などと同じ階の屋内空間２内に設けて実施したが、これに限定されず、屋根裏空間などに設けて実施してもよい。
【０１０４】
また、上記した実施例１，２では、ダクト収納空間４を二重天井２１ａの内部空間を利用して実施したが、これに限定されず、例えば、二重壁の内部空間を利用するなどして実施してもよい。
【０１０５】
さらに、上記した実施例１，２では、共用空間２１の天井部の一部を二重天井２１ａとして実施したが、これに限定されず、例えば、共用空間２１の天井部の全体を二重天井２１ａとして実施してもよい。
【０１０６】
また、上記した実施例１，２では、居室空間２３，２４，２５の壁１２に給気口５１と排気口５２を設けて実施したが、これに限定されず、例えば、給気口５１と排気口５２を天井などに設けて実施してもよい。
【０１０７】
さらに、上記した実施例１，２では、居室空間２３，２４，２５のみに給気口５１と排気口５２を設けて実施したが、これに限定されず、給気口５１と排気口５２をトイレなどの非居室空間にも設けて実施してもよい。
【符号の説明】
【０１０８】
１      建物
２      屋内空間
２１    共用空間（被空調空間）
２１ａ  二重天井
２２    空調装置収納室（空調装置収納空間）
２２ａ  空調装置収納室の側壁（空調装置収納空間の側壁）
２３    居室空間（被空調空間）
２４    居室空間（被空調空間）
２５    居室空間（被空調空間）
３      空調装置
３０    筐体
３１    吹出部
３２    吸込部
３ａ    内部点検口
３０ａ  内部点検口用蓋
３３    ファン
３４    熱交換器
３５    枠体
３５ａ  側面板
３５ｂ  背面板
３５ｃ  仕切材
３６    フィルタ
３７ａ  下側ガイド金具
３７ｂ  上側ガイド金具
３８    ガイド部材
３８ａ  折曲部
３９    シール材
４０    シール材
４      ダクト収納空間
４ａ    ダクト外空間
５１    給気口
５２    排気口
６      排気口
７      ダクト
７ａ    分岐チャンバ
８      壁（一側の壁）
９      壁（目隠用の壁）
９ａ    扉
１０    収納空間
１１    ドア
１２    壁
【要約】
【課題】ダクトの配管が簡易に行える空調システムを提供する。
【解決手段】建物１内に、被空調空間としての共用空間２１及び居室空間２３，２４，２５と、空調装置収納空間としての空調装置収納室２２と、これらを連通するダクト収納空間４とが設けられており、空調装置収納室２２には、吹出部３１と吸込部３２とを有する吹出型の空調装置３が設置されており、居室空間２３，２４，２５の壁１２に、空調装置３の吹出部３１とダクト収納空間４に配管されたダクト７で接続される給気口５１と、ダクト収納空間４と連通する排気口５２とが設けられており、ダクト収納空間４には、ダクト７内を通る空調空気の給気の流れとは逆の方向に空調空気の排気が流れるダクト外空間４ａが設けられた構成とされている。
【選択図】図２【図１】
0005308558.tif 000002
【図２】
0005308558.tif 000003
【図３】
0005308558.tif 000004
【図４】
0005308558.tif 000005
【図５】
0005308558.tif 000006
【図６】
0005308558.tif 000007